(57)【要約】【課題】認証用センサの取り替えが、低コストで、かつ容易にできる、情報カード装置を実現する。【解決手段】情報カードは、バイオメトリックスセンサを有する装着装置に装着可能で、人を認証するための照合用バイオメトリックス情報を有する情報カードである。情報カードは、装着装置のバイオメトリックスセンサからバイオメトリックス情報を読み出す手段と、読み出したバイオメトリックス情報と照合用バイオメトリックス情報とを照合する手段とを有し、照合した結果が所定の条件を満たしたときに所定の機能が実行可能となる。【選択図】  図１
2004220175.tif 000002
【特許請求の範囲】
【請求項１】
バイオメトリックスセンサを有する装着装置に装着可能で、人を認証するための照合用バイオメトリックス情報を有する情報カードであって、
前記装着装置の前記バイオメトリックスセンサからバイオメトリックス情報を読み出す手段と、読み出した前記バイオメトリックス情報と前記照合用バイオメトリックス情報とを照合する手段とを有し、照合した結果が所定の条件を満たしたときに所定の機能が実行可能となることを特徴とする情報カード。
【請求項２】
前記バイオメトリックスセンサから読み出した前記バイオメトリックス情報と、前記照合用バイオメトリックス情報とを照合し、照合した結果が所定の条件を満たしたときに、前記情報カードが使用可能であることを意味する使用可能信号を送信する送信手段をさらに有することを特徴とする請求項１に記載の情報カード。
【請求項３】
前記使用可能信号は、前記情報カードに関して予め決められたパスワード情報のデータ信号であることを特徴とする請求項２に記載の情報カード。
【請求項４】
データ信号の受信手段をさらに有することを特徴とする請求項１から請求項３のいずれかに記載の情報カード。
【請求項５】
表示手段をさらに有することを特徴とする請求項１から請求項４のいずれかに記載の情報カード。
【請求項６】
人を認証するための照合用バイオメトリックス情報を有する情報カードを装着するための情報カード用装着装置であって、
バイオメトリックスセンサと、
該バイオメトリックスセンサのバイオメトリックス情報を、前記情報カードへ送信する送信手段とを有することを特徴とする情報カード用装着装置。
【請求項７】
さらに、電池を有し、前記情報カードを装着すると、前記電池からの電力が、前記情報カードへ供給されることを特徴とする請求項６に記載の情報カード用装着装置。
【請求項８】
さらに、表示手段を有することを特徴とする請求項６又は請求項７に記載の情報カード用装着装置。
【請求項９】
人を認証するための照合用バイオメトリックス情報を有し、該照合用バイオメトリックス情報を用いて認証処理を行う認証処理機能を有する情報カードと、
バイオメトリックスセンサを有し、かつ前記情報カードを装着する装着装置とを含み、
前記情報カードは、前記装着装置に装着されると、前記バイオメトリックスセンサからバイオメトリックス情報を読み出し、読み出した該バイオメトリックス情報と前記照合用バイオメトリックス情報に基づいて上記認証処理機能を実行することを特徴とする情報カード装置。
【請求項１０】
バイオメトリックスセンサを有する装着装置に装着可能であって、人を認証するために内部に保持された照合用バイオメトリックス情報を用いて認証処理を行う認証処理機能を有する情報カードと、該情報カードとデータ通信を行うカード読取装置とを含む情報カード処理装置であって、
前記情報カードは、前記装着装置の前記バイオメトリックスセンサに入力された前記バイオメトリックス情報と前記照合用バイオメトリックス情報とに基づいて、前記認証処理を実行し、かつ、該認証処理の結果、入力された前記バイオメトリックス情報と前記照合用バイオメトリックス情報が所定の条件を満たしたときに、前記カード読取装置へ予め決められた信号を送信し、
前記カード読取装置は、受信した前記予め決められた信号に基いて予め決められた処理を実行することを特徴とする情報カード処理装置。
【請求項１１】
バイオメトリックスセンサを有する装着装置に装着可能であって、人を認証するために内部に保持された照合用バイオメトリックス情報を用いて認証処理を行う認証処理機能を有する情報カードと、該情報カードとデータ通信を行うカード読取装置とを用いる情報カード処理方法であって、
前記装着装置の前記バイオメトリックスセンサに、バイオメトリックス情報を入力し、
入力された前記バイオメトリックス情報と前記照合用バイオメトリックス情報とに基づいて、前記認証処理を行ない、
該認証処理の結果、入力された前記バイオメトリックス情報と前記照合用バイオメトリックス情報が所定の条件を満たしたときに、前記情報カードが、前記カード読取装置へ予め決められた信号を送信し、
前記カード読取装置は、前記予め決められた信号に基いて予め決められた処理を実行することを特徴とする情報カード処理方法。
【発明の詳細な説明】
【０００１】
【発明の属する技術分野】
本発明は、情報カード、情報カード装着装置、情報カード装置、情報カード処理装置及び情報カード処理方法に関し、特に、バイオメトリックス情報による認証機能を利用した情報カード、情報カード装着装置、情報カード装置、情報カード処理装置及び情報カード処理方法に関する。
【０００２】
【従来の技術】
近年、ＩＤカード、クレジットカード等の情報カードが、電子商取引等において利用されている。情報カードが利用されるとき、そのカードの不正使用が行われないようにするために、利用者がそのカードの正しい保有者であることを確認するための個人認証技術が種々提案されている。
例えば、認証に指紋情報を利用するＩＣカードが提案されている。個人の指紋情報を読み取り、読み取られた指紋の正否を認証する指紋認証チップを、ＩＣカードに設け、内部に記憶された認証用の指紋情報と読み取られた指紋情報とが一致するかを判断することによって、個人認証が行われる（例えば、特許文献１参照）。
【０００３】
【特許文献１】
特開２０００−３２２４９３号公報（第４頁、第３図）
【０００４】
【発明が解決しようとする課題】
しかし、ＩＣカードに指紋認証チップを設けると、利用者がそのＩＣカードを出し入れ等するときに、指紋認証チップのセンサ部の表面に傷がつく場合がある。その傷が指紋情報を読み取れない程ひどいときは、ＩＣカードを作り直さなければならないが、指紋認証チップを有するＩＣカードの作り直しには時間がかかるだけでなく、かつコストも低くない。そして、利用者は、ＩＣカードが出来上がるまで、そのＩＣカードを利用したサービス等を受けられないという不便さが生じる。また、ＩＣカードには、カード保有者の認証情報、個人情報等の秘密情報が含まれているので、ＩＣカードを作り直す場合、秘密情報の漏洩が生じないようにするための管理、例えば作り直しの依頼等の手続き等が煩雑になる。
さらに、指紋認証チップに傷がつかないようにＩＣカードをカードケースに入れてしまうと、利用者は使用時にいちいちそのケースから取り出さなくてはならないという繁雑さもあった。
【０００５】
【課題を解決するための手段】
そこで、本発明は、このような課題に鑑みてなされたもので、認証用センサの取り替えが、低コストで、かつ容易にできる、情報カード装置を提供することを目的とする。
本発明の情報カードは、バイオメトリックスセンサを有する装着装置に装着可能で、人を認証するための照合用バイオメトリックス情報を有する情報カードであって、前記装着装置の前記バイオメトリックスセンサからバイオメトリックス情報を読み出す手段と、読み出した前記バイオメトリックス情報と前記照合用バイオメトリックス情報とを照合する手段とを有し、照合した結果が所定の条件を満たしたときに所定の機能が実行可能となる。
【０００６】
本発明の情報カード用装着装置は、人を認証するための照合用バイオメトリックス情報を有する情報カードを装着するための情報カード用装着装置であって、バイオメトリックスセンサと、該バイオメトリックスセンサのバイオメトリックス情報を、前記情報カードへ送信する送信手段とを有する。
本発明の情報カード装置は、人を認証するための照合用バイオメトリックス情報を有し、該照合用バイオメトリックス情報を用いて認証処理を行う認証処理機能を有する情報カードと、バイオメトリックスセンサを有し、かつ前記情報カードを装着する装着装置とを含み、前記情報カードは、前記装着装置に装着されると、前記バイオメトリックスセンサからバイオメトリックス情報を読み出し、読み出した該バイオメトリックス情報と前記照合用バイオメトリックス情報に基づいて上記認証処理機能を実行する。
【０００７】
本発明の情報カード処理装置は、バイオメトリックスセンサを有する装着装置に装着可能であって、人を認証するために内部に保持された照合用バイオメトリックス情報を用いて認証処理を行う認証処理機能を有する情報カードと、該情報カードとデータ通信を行うカード読取装置とを含む情報カード処理装置であって、前記情報カードは、前記装着装置の前記バイオメトリックスセンサに入力された前記バイオメトリックス情報と前記照合用バイオメトリックス情報とに基づいて、前記認証処理を実行し、かつ、該認証処理の結果、入力された前記バイオメトリックス情報と前記照合用バイオメトリックス情報が所定の条件を満たしたときに、前記カード読取装置へ予め決められた信号を送信し、前記カード読取装置は、受信した前記予め決められた信号に基いて予め決められた処理を実行する。
【０００８】
本発明の情報カード処理方法は、バイオメトリックスセンサを有する装着装置に装着可能であって、人を認証するために内部に保持された照合用バイオメトリックス情報を用いて認証処理を行う認証処理機能を有する情報カードと、該情報カードとデータ通信を行うカード読取装置とを用いる情報カード処理方法であって、前記装着装置の前記バイオメトリックスセンサに、バイオメトリックス情報を入力し、入力された前記バイオメトリックス情報と前記照合用バイオメトリックス情報とに基づいて、前記認証処理を行ない、該認証処理の結果、入力された前記バイオメトリックス情報と前記照合用バイオメトリックス情報が所定の条件を満たしたときに、前記情報カードが、前記カード読取装置へ予め決められた信号を送信し、前記カード読取装置は、前記予め決められた信号に基いて予め決められた処理を実行する。
このような構成によれば、認証用センサの取り替えが、低コストで、かつ容易にできる、情報カード装置を実現することができる。
【０００９】
また、本発明の情報カードにおいて、前記バイオメトリックスセンサから読み出した前記バイオメトリックス情報と、前記照合用バイオメトリックス情報とを照合し、照合した結果が所定の条件を満たしたときに、前記情報カードが使用可能であることを意味する使用可能信号を送信する送信手段をさらに有することが望ましい。
このような構成によれば、カード読取装置は、使用可能信号に基づいて情報カードの認証処理を実行することができる。
【００１０】
また、本発明の情報カードにおいて、前記使用可能信号は、前記情報カードに関して予め決められたパスワード情報のデータ信号であることが望ましい。
このような構成によれば、セキュリティを向上することができる。
【００１１】
また、本発明の情報カードにおいて、データ信号の受信手段をさらに有することが望ましい。
このような構成によれば、カード読取装置とのデータ通信をすることができる。
【００１２】
また、本発明の情報カードにおいて、表示手段をさらに有することが望ましい。
【００１３】
このような構成によれば、利用者が情報カードに関する情報を確認することができる。
また、本発明の情報カード用装着装置において、さらに、電池を有し、前記情報カードを装着すると、前記電池からの電力が、前記情報カードへ供給されることが望ましい。
このような構成によれば、情報カードは電源を持つ必要がない。
【００１４】
また、本発明の情報カード用装着装置において、さらに、表示手段を有することが望ましい。
このような構成によれば、利用者が情報カードに関する情報を確認することができる。
【００１５】
【発明の実施の形態】
以下、図面を参照して本発明の実施の形態を説明する。
まず図１及び図２に基づき、本実施の形態に係わるＩＣカードとそのためのカードの外観構成を説明する。図１は、本実施の形態に係わるＩＣカードとそのためのカードケースの外観構成を示す斜視図である。図２は、ＩＣカードをカードケースに挿入したときのＩＣカードとカードケースの斜視図である。カード状のＩＣカード１は、点線の矢印で示すように、カードケース２に挿入できるようになっている。
【００１６】
情報カードとしてのＩＣカード１は、内部に中央処理装置（ＣＰＵ）を含むＩＣチップを有する。そのＩＣチップは、種々の機能を実行できるように、種々の情報と種々の処理回路を含む。また、ＩＣカード１の表面には、液晶表示装置等の表示器３が設けられている。ＩＣチップのＣＰＵは、内部バスを介して、ストアされたプログラムに基づいて、後述する、エンコーダ、デコーダ、各種メモリ、通信回路、表示制御回路、センサ制御回路等の制御を実行し、さらに認証処理等の処理も実行する。また、ＩＣカード１の表面には、カードケース２側に設けられた複数の接点と接触することによって、ＩＣカード１内のバスとカードケース２内の信号線等が電気的に導通し、電気信号の送受信及び電源の供給を受けるための、複数の接点からなる接点部４が設けられている。
【００１７】
装着装置としてのカードケース２は、一端に開口部５を有する中空の直方体形状である。カードケース２の表面には、バイオメトリックスセンサとしての指紋センサ６が設けられている。また、カードケース２の内部側には、ＩＣカード１が挿入されたときに、ＩＣカード１の接点部４の各接点と接触する、複数の接点からなる接点部（図１及び図２では示されていない。）が設けられている。
【００１８】
指紋センサ６は、例えば、静電容量式のセンサであり、センサ電極とそのセンサ電極上に設けられた誘電体膜とを単結晶珪素基板に形成したものである。センサ電極が、コンデンサの一方の電極を形成し、人体が設置された他方の電極をなす。そのセンサは、そのコンデンサの静電容量が誘電体表面に接した指紋の凹凸に応じて変化することを利用して、指紋形状を読み取る。
【００１９】
また、指紋センサ６としては、マトリックス状のＴＦＴ（薄膜トランジスタ）装置を利用したものでもよい。その場合は、センサ部を、ガラス、プラスチック等の透明基板上に形成可能となるので、カードのデザインなどにも影響を与えない。
ＩＣカード１を、図１の点線の矢印で示すように、カードケース２に挿入すると、図２に示すように、ＩＣカード１はカードケース２内に保持された状態となる。なお、装着装置としてのカードケース２からＩＣカード１を取り出すときは、カードケース２の表面の一部に設けられた切り欠き部７に露出した、ＩＣカード１の表面部分を指で押圧しながら、開口部５からＩＣカード１を引き出すように移動する。
【００２０】
カードケース２は、透明な材質の部材からなり、ＩＣカード１をカードケース２内に保持した状態でも、表示器３の表示内容が、カードケース２を通して見えるようになっている。従って、カードケース２は、ＩＣカード１をカードケース２内に保持した状態において、少なくとも表示器３の表示面の対向する部分が透明であればよい。
【００２１】
なお、本実施の形態では表示器３がＩＣカード１に設けられた例で説明するが、後述するように、表示器３がＩＣカード１に設けられていなくてもよく、あるいは表示器３をカードケース２に設けてもよく、それらの場合は、カードケース２は透明な部材でなくてもよい。
【００２２】
図３は、ＩＣカード１の内部構造を説明するためのＩＣカード１の平面図である。表示器３と、接点部４と、ＩＣチップ１１とアンテナ１２がＩＣカード１内に設けられている。なお、表示器３は、ＩＣカード１の表面に表示面が露出するように設けられる。同様に、接点部４は、各接点の表面の一部がＩＣカード１の表面に露出するように設けられる。ＩＣカード１の内部には、ＩＣチップ１１とアンテナ１２が設けられている。ＩＣチップ１１は、接点部４の各接点と、表示器３と、アンテナ１２と電気的に接続されている。
【００２３】
図４は、カードケース２の内部構造を説明するためのカードケース２の平面図である。指紋センサ６、接点部２１、信号読出回路２２及び電源２３は、カードケース２の側壁内部に設けられている。なお、指紋センサ６は、カードケース２の外側表面に、指が触れるセンサ面が露出するように設けられる。同様に、カードケース２の内側表面には、接点部２１が設けられている。接点部２１は、ＩＣカード１がカードケース２に装着されたときに、ＩＣカード１の接点部４の各接点と接触する、対応する複数の接点を含む。
【００２４】
また、カードケース２は、指紋センサ６の信号を読み出す信号読出回路２２と、電池等の電源２３を有する。なお、電源２３は、ボタン電池等でもよいし、太陽電池、振動等のエネルギーを電気エネルギーへ変換する発電機等であってもよい。
ＩＣチップ１１は、接点部４から供給される電源を用いて、表示器３の表示制御回路、後述するＩＣカード読取装置とのアンテナ１２を介するデータ送受信処理、カードケース２とのデータの送受信処理、認証処理等の予め決められた機能を実行する。
【００２５】
なお、図３と図４において、接点部４及び接点部２１の接点としては、４つの接点が示されているが、ＩＣカード１とカードケース２内の各回路に対応する数の接点が接点部４及び接点部２１に設けられる。同様に、ＩＣカード１及びカードケース２内の信号線の数も、図３と図４に示した数に限定されず、各回路に応じた数の信号線がＩＣカード１とカードケース２内に設けられる。ＩＣカード１がカードケース２に装着されることによって、ＩＣカード１とカードケース２内の各回路は、後述するように、バスラインで接続される。バスラインの一部は、電源用線であり、残りは、信号用線である。
【００２６】
ＩＣカード１をカードケース２に装着すると、電源２３からの電力は、カードケース２の指紋センサ６と信号読取回路２２とに供給されるだけでなく、接点部４と接点部２１を介して、ＩＣカード１のＩＣチップ１１、表示器３及びアンテナ１２にも供給される。
ＩＣカード１は、電源を有さないので、ＩＣカード１だけでは機能しない。しかし、ＩＣカード１をカードケース２に装着した状態では、ＩＣカード１は電源２３から電力を得られるので、その予め決められた機能を実行することができる。従って、利用者が、電子商取引等のサービスを受けるために、ＩＣカード１を利用するときは、ＩＣカード１をカードケース２に挿入して装着した状態で、利用する。なお、ＩＣカード１は電源を有していてもよい。
【００２７】
さらに詳細に、カード１とカードケース２の回路構成について説明する。
図５は、ＩＣカード１をカードケース２に挿入して装着することによって形成されるＩＣカード装置３０の主要な回路構成を示すブロック図である。ＩＣカード装置３０は、ＩＣカード１とカードケース２からなる。ＩＣカード１とカードケース２内の各回路は、接点部４の複数の接点と接点部２１の複数の接点が接続されることによって、互いにバスライン３１を介して接続される。
【００２８】
ＩＣカード１のＩＣチップ１１は、中央処理装置（ＣＰＵ）３２、読み出し専用メモリ（ＲＯＭ）３３、ランダムアクセスメモリ（ＲＡＭ）３４、エンコーダ３５、デコーダ３６、表示制御回路３７、不揮発性メモリ３８及び通信回路３９を含む。通信回路３９は、アンテナ１２を介してデータの送受信を行うための回路である。ＣＰＵ３２と、ＲＯＭ３３と、ＲＡＭ３４と、エンコーダ３５と、デコーダ３６と、表示制御回路３７がバス３１によって接続されている。エンコーダ３５は、書き込まれたデータを長期間保持する不揮発性メモリ３８と通信回路３９に接続されている。デコーダ３６も、同様に、不揮発性メモリ３８と通信回路３９に接続されている。
【００２９】
ＲＯＭ３３は、ＩＣチップ１１の認証機能、通信機能等の各種機能を実現するためのプログラムがストアされており、ＣＰＵ３２はそのプログラムを読み出して実行する。
ＩＣカード１をカードケース２に装着すると、接点部４の複数の接点と接点部２１の複数の接点とが接続されることによって、バスライン３１にセンサ制御回路４０が接続される。センサ制御回路４０は、上述した信号読出回路２２を含み、指紋センサ６に接続されている。
【００３０】
従って、カードケース２内の電源２３からの電力は、カードケース２内の各種回路だけでなく、バスライン３１を介してＩＣカード１内の各回路にも供給されるので、センサ制御回路４０からの指紋情報データを、ＣＰＵ３２は読み出して、認証処理のために、ＲＡＭ３４に書き込む等することができる。さらに、ＣＰＵ３２は、各種データを、エンコーダ３５によって符号化し、その符号化したデータを、不揮発性メモリ３８に書き込んだり、アンテナ１２を介して送信するために通信回路３９へ供給することができる。後述するＩＣカード読取装置と、ＩＣカード装置３０との間の通信は、データが暗号化されて行われる。
【００３１】
また、ＣＰＵ３２は、不揮発性メモリ３８にストアされたデータを、デコーダ３６を介して復号化して、読み出すこともできる。さらにまた、アンテナ１２を介して受信したデータをデコーダ３６によって復号化し、ＲＡＭ３４に書き込むことができる。さらに、ＣＰＵ３２は、必要な情報を表示器３に表示させるために、表示制御回路３７に表示データを供給することもできる。
【００３２】
次に、簡単にＩＣカードの使用例を説明する。図６は、ＩＣカード１が利用されるＩＣカード処理システムの構成を示すブロック構成図である。
ＩＣカード１は、カードケース２に装着されると、電源２３からの電力は、接点部４と接点部２１を介して、電源ライン１ａによって、ＩＣチップ１１と、アンテナ１２と、表示器３へ供給される。ＩＣカード１がカードケース２に装着されているだけでは、ＩＣカード１は非活性状態であり、ＣＰＵ３２は、予め決められた機能を実行することができない状態、すなわち何の処理も実行しない状態にある。利用者が、カードケース２上の指紋センサ６に触れると、ＩＣカード１は活性化され活性状態になり、ＣＰＵ３２は、ＲＯＭ３３にストアされているプログラムを読み出して、指紋センサ６から指紋情報データと、内部に予めストアされている利用者の指紋情報データとを比較して、利用者の認証処理を実行する。
【００３３】
なお、ＩＣカード１を活性状態にするためのスイッチを別途カードケース２に設け、スイッチをオンにすると、ＩＣカード１が活性状態になるようにしてもよい。
ＣＰＵ３２は、認証の結果、ＩＣチップ１１の不揮発性メモリ３８にストアされた指紋情報と一致しないと、不正なカード利用と判断して、ＩＣカード１を、使用不可状態にする。指紋情報が一致しないためにＩＣカード１が使用不可の場合、ＩＣカード１の表示器３に使用不可を意味する表示、例えば、「×」等の文字表示、赤い色のマーク表示、を行う。ＣＰＵ３２は、認証の結果、ＩＣチップ１１にストアされた指紋情報と一致すると、正しいカード利用と判断して、ＩＣカード１を活性化して、ＣＰＵ３２は、カードが使用可能であることを意味する予め決められた使用可能信号を生成し、エンコーダ３５を介して、信号を暗号化してアンテナ１２から送信にする。
【００３４】
ＩＣカード１の読取装置であるＩＣカード読取装置５１は、アンテナ５２を介して、無線によって、すなわち非接触方式によって、ＩＣカード１から使用可能信号を受信する。店等に設置されたＩＣカード読取装置５１は、ＩＣカード１からのその使用可能信号に基づいて、そのＩＣカード１の使用の可否を判定し、使用可能であれば、そのＩＣカード１の使用目的に応じた処理、例えば、ホストコンピュータ５３との必要な通信処理等を実行する。これによって、電子商取引等のサービスを、利用者は受けることができる。
【００３５】
また、ＩＣカード読取装置５１は、そのＩＣカードの使用の可否を判定し、使用不可であれば、使用不可処理、例えば、電子商取引等のサービスは受けられない旨の表示をＩＣカード読取装置５１の表示器（図示せず）に行う。使用不可になる場合としては、例えば、使用可能信号が予め決められた信号でない場合、ＩＣカードの有効期限切れ等、ホストコンピュータ５３においてサービス提供が禁止されている場合等である。
【００３６】
次に、図７のフローチャートを用いて、上述した使用例におけるＩＣカード装置３０の処理の流れの例を詳細に説明する。指が指紋センサ６に触れると、ＩＣカード１は活性化され、ＣＰＵ３２は、図７の処理を実行する。活性化状態では、ＣＰＵ３２は、センサ制御回路４０から指紋センサ６の指紋情報が取得できたか否かを判断する（ステップ（以下、Ｓと略す。）１）。指紋情報が取得できないと、Ｓ１でＮＯとなり、指紋情報が入力されるまで何もしない。指紋情報の取得は、ＣＰＵ３２が、センサ制御回路４０に対して指紋情報を取得するコマンドを発行し、そのコマンドに応じてセンサ制御回路４０は、指紋センサ６から指紋情報のデータを読み出し、ＣＰＵ３２へ送信する。
【００３７】
指紋情報が取得されたときは、Ｓ１でＹＥＳとなって、ＣＰＵ３２は、取得された指紋情報のデータをバスライン３１を介してＲＡＭ３４へ転送する。ＲＡＭ３４に転送されてストアされる指紋情報は、例えば指紋の画像情報である。
次に、ＣＰＵ３２は、デコーダ３６を介して不揮発性メモリ３８にストアされた利用者の指紋情報をデコーダ３６によって復号化して読み出し（Ｓ３）、認証処理を実行する（Ｓ４）。すなわち、ＣＰＵ３２は、指紋センサ６からの指紋情報と、不揮発性メモリ３８からの指紋情報とを比較することによって照合し、認証処理を実行する（Ｓ４）。認証処理は、例えば、ＲＡＭ３４にストアされた指紋情報である指紋の図形データから、線の端点、分岐点等の特徴量を抽出し、その特徴量データと不揮発性メモリ３８からの指紋の特徴量データと比較し、両者の指紋情報の特徴量が一致するか否かによって、認証を行う。
【００３８】
認証処理の結果、指紋センサ６からの指紋情報が、不揮発性メモリ３８にストアされた指紋情報と一致するか否か、すなわち認証がＯＫか否かを判断し（Ｓ５）、一致しないときは、使用不可処理を行う。使用不可処理は、上述したような使用不可である旨の表示を表示器３に表示するようにしてもよいし、あるいは何もしないという処理でもよい。
【００３９】
Ｓ５で認証がＯＫであるときは、ＣＰＵ３２は、予め決められたパスワードの生成を行う（Ｓ７）。そして、ＣＰＵ３２は、生成したパスワードを、エンコーダ３５によって暗号化等の符号化をして、通信回路３９を介してアンテナ１２からカード読取装置５１へ無線によりパスワードデータを送信する（Ｓ８）。
なお、パスワードの生成は、ＣＰＵ３２が、デコーダ３６を介して非揮発性メモリ３８にストアされたパスワード形成に必要なデータを復号化して読み出し、ＲＯＭ３３にストアされたパスワード生成処理プログラムを実行することによって行われる。
【００４０】
また、Ｓ５で認証がＯＫとなったときに、ＣＰＵ３２は、表示制御回路３７を制御して、ＩＣカード１の表示器３に使用可能であることを意味する表示、例えば「○」等の文字表示、緑色のマーク表示、を行ってもよい。
なお、パスワードは、ＩＣカード読取装置５１とＩＣカード１間で予め決められたアルゴリズムに従って変更されるようにしてもよい。
【００４１】
次に、ＩＣカード読取装置５１の処理内容を詳細説明する。図８は、ＩＣカード読取装置５１が、アンテナ５２を介して、パスワードデータを受信したときに実行される処理の流れの例を示すフローチャートである。
ＩＣカード読取装置５１のＣＰＵ（図示せず）は、アンテナ５２を介してパスワード情報を取得したか否かを判断する（Ｓ１１）。パスワード情報が取得できないときは、Ｓ１１でＮＯとなり、パスワード情報が取得されるまで何もしない。パスワード情報のデータを受信すると、ＩＣカード読取装置５１は、データを復号化して解読する。パスワード情報のデータを受信したときは、Ｓ１１でＹＥＳとなって、認証処理を実行し（Ｓ２２）、認証がＯＫであるか否かを判断する（Ｓ１３）。認証は、解読されたパスワードと、予め決められた照合用データとを比較して照合することによって認証処理が行なわれる。解読されたパスワードと、ＩＣカード１に関して予め決められた照合用データとが一致すれば、正当なＩＣカードであるとして、認証ＯＫとなる。認証ＯＫでなければ、Ｓ１３でＮＯとなって、使用不可処理を実行する（Ｓ１４）。使用不可処理は、ＩＣカード読取装置５１の設けられた表示装置にそのカードが使用できない旨の表示を行ない、決済、ログイン、入退室許可等の機能は実行されない。
【００４２】
認証がＯＫであれば、Ｓ１３でＹＥＳとなって、ＩＣカード読取装置５１は、ホストコンピュータ５３との通信処理を実行し（Ｓ１５）、ＩＣカード読取装置５１の設けられた表示装置にそのカードが使用できる旨の表示を行ない、決済、ログイン、入退室許可等のサービスのための処理を実行する。
なお、認証がＯＫであれば、さらに、ＩＣカード読取装置５１は、ＩＣカード１の次の利用時の認証処理に使われるパスワードの生成に関する情報を、アンテナ５２を介してＩＣカード１へ無線で送信するようにしてもよい。この場合、ＩＣカード１は、アンテナ１２を介して受信した暗号化されたパスワード生成に関する情報をエンコーダ３５によって符号化した後で、不揮発性メモリ３８にストアし、次のＩＣカードの利用時のパスワード生成処理において用いる。
【００４３】
以上のように、本実施の形態によれば、ＩＣカード１をカードケース２に装着して初めて認証機能等の機能が発揮され、認証されると、ＩＣカード１は利用可能となるので、セキュリティレベルは向上する。さらに、バイオメトリックスセンサをカードケース２に設けたので、センサが故障等したときは、カードケース２を交換するだけでよいので、迅速に、かつ低コストでＩＣカード１を使用可能とすることができる。そして、利用者は、ＩＣカード１を利用するときに、カードケース２からいちいち取り出さなくてもよい。
なお、上述の実施の形態では、ＩＣカード１に表示器３が設けられているが、表示器３はＩＣカード１に設けられていなくてもよい。さらに、表示器３をＩＣカード１に設ける代わりに、カードケース２に表示器を設けるようにしてもよい。
さらに、上述の実施の形態では、装着装置は、直方体のケース状の例で説明したが、装着装置は、ケース形状でなくてもよく、情報カードに装着できる構造のものであってもよい。
【００４４】
また、ＩＣカード１とカードケース２間は接点部が直接物理的に接触するによって、カードケース２からＩＣカード１へ電源の電力および信号が供給されているが、非接触方式によって電源及び信号の供給を行うようにしてもよい。その場合、電源用の電波をカードケース２からＩＣカード１へ送信することによって、ＩＣカード１内のコンデンサに電荷を蓄積するようにして、電源を生成することができる。  また、ＩＣカード自体に電池を設けて、カード内の各種回路への電力を供給するようにしてもよい。
【００４５】
さらにまた、以上の説明では、バイオメトリックスセンサとして指紋センサの例を説明したが、脈波、声紋等のバイオメトリックス情報を検出するセンサを用いてもよい。
以上説明したように、バイオメトリックスセンサ部が損傷しても、情報カード自体を作り直す必要はなく、そのセンサ部を有する装着装置であるカードケースのみ交換すればよい。従って、センサ部が損傷しても、安く装着装置を製造することができる。このとき、装着装置であるカードケースは、個人情報、バイオメトリックス情報等を含まないので、カードケースの製造において秘密情報の管理も不要となる。特に、カードを発行する各社が、カードに搭載されるセンサ、信号等の規格を統一すれば、カードケースは、複数の会社のカードに対して共通に使用できるというメリットもあり、その場合は、カードケース自体は、通常の商品と同様に一般の店で販売することもできる。
【００４６】
さらに、カード読取装置は、専用の装置でもよいが、カード読取装置の機能を、ＡＴＭ（ａｕｔｏｍａｔｅｄ  ｔｅｌｌｅｒ  ｍａｃｈｉｎｅ：現金自動預け入れ払い機）、商店のレジ、パーソナルコンピュータ、ＰＤＡ（ｐｅｒｓｏｎａｌ  ｄｉｇｉｔａｌ  ａｓｓｉｓｔａｎｃｅ：携帯情報端末）、携帯電話、電子錠等の入退出管理装置、交通機関における改札装置等に、組み入れてもよい。
本発明は、上述した実施の形態に限定されるものではなく、本発明の要旨を変えない範囲において、種々の変更、改変等が可能である。
【図面の簡単な説明】
【図１】本発明の本実施の形態に係わるＩＣカードとそのためのカードケースの外観構成を示す斜視図。
【図２】ＩＣカードをカードケースに挿入したときのＩＣカードとカードケースの斜視図。
【図３】ＩＣカードの内部構造を説明するためのＩＣカードの平面図。
【図４】カードケースの内部構造を説明するためのカードケース２の平面図。
【図５】ＩＣカード装置の主要な回路構成を示すブロック図。
【図６】ＩＣカード処理システムの構成を示すブロック構成図。
【図７】ＩＣカード装置の処理の流れの例を示すフローチャート。
【図８】ＩＣカード読取装置の処理の流れの例を示すフローチャート。
【符号の説明】
１  ＩＣカード、２  装着装置、３  表示器、４  接点部、５  開口部、６  指紋センサ、７  切り欠き部、１１  ＩＣチップ、１２  アンテナ、２１  接点部、２２  信号読出回路、２３  電池、
【図１】
2004220175.tif 000003
【図２】
2004220175.tif 000004
【図３】
2004220175.tif 000005
【図４】
2004220175.tif 000006
【図５】
2004220175.tif 000007
【図６】
2004220175.tif 000008
【図７】
2004220175.tif 000009
【図８】
2004220175.tif 000010